(57)【要約】      （修正有）【課題】排泄物を処理する領域が広くて排泄物処理能力がアップされ、消臭効果もあって生産コストの低減化が図られた簡易トイレに使用する使い捨てバッグを提供する。【解決手段】簡易トイレの開口内部に嵌合自在な大きさで上部１０が開口された袋体１に形成され、簡易トイレの上縁部で折返して係止される折返し部１０にも達する袋体１の内面の全体に亘り、吸水力の高い綿状パルプや高分子吸収体の吸収材が備え付けられていると共に、袋体１の内部に消臭材たる活性炭が備え付けられて成り、外部１２に設置された後処理テープ５により袋体１の開口上部１３が結束されて使い捨て自在である。【選択図】図１
0003162726.tif 000002
【実用新案登録請求の範囲】
【請求項１】
簡易トイレの開口内部に嵌合自在な大きさで上部が開口された袋体に形成され、前記簡易トイレの上縁部で折返して係止される折返し部にも達する当該袋体の内面の全体に亘り、吸水力の高い綿状パルプや高分子吸収体の吸収材が備え付けられていると共に、当該袋体の内部に消臭材たる活性炭が備え付けられて成り、外部に設置された後処理テープにより袋体の開口上部が結束されて使い捨て自在に構成されていることを特徴とする簡易トイレ用使い捨てバッグ。
【請求項２】
袋体の外部に設置された後処理テープは、剥離紙付きの吸着体で成ることを特徴とする、請求項１に記載した簡易トイレ用使い捨てバッグ。
【請求項３】
袋体の外部全体は、内部が見えない色が付されていることを特徴とする、請求項１又は２に記載した簡易トイレ用使い捨てバッグ。
【請求項４】
内部が見えない色として、青色又は黒色又は濃い色が袋体の外部全体に付されていることを特徴とする、請求項３に記載した簡易トイレ用使い捨てバッグ。
【請求項５】
袋体の外部は防水シートで形成され、その防水シートの内部に備え付けられた吸水材の内側に、防音材たる不織布が設けられていることを特徴とする請求項１〜４のいずれか１項に記載した簡易トイレ用使い捨てバッグ。
【請求項６】
袋体の開口上部の左右両端には、深く切り込まれた大きなスリットが各々形成され、前記左右のスリットの深さ位置で、折返し部が折返し自在に構成されていることを特徴とする請求項１〜５のいずれか１項に記載した簡易トイレ用使い捨てバッグ。
【考案の詳細な説明】
【技術分野】
【０００１】
本考案は、簡易トイレ用使い捨てバッグに関し、さらに言えば、主として介護用の簡易トイレを使用する際に、その簡易トイレを汚さずに、排泄物（以下、内容物ともいう）を十分かつ衛生的に当該バッグにて処理し、使い捨てることができるバッグの技術分野に属する。
【背景技術】
【０００２】
高齢化社会になり介護用トイレのような簡易トイレの使用率は上昇している。しかし、その簡易トイレを直に使用すると臭いや後処理が大変であるため、この簡易トイレの内部にシートを敷いて使用することが行われ、そのようなシート類が開発されてきている。
【０００３】
例えば、特開平１０−２４８７５３公開特許公報には、請求項１に、（イ） 表側面（１）の素材はすべて防水加工の紙を使用する。（ロ） 底面（２）は吸収素材シート（３）、尿を凝固させる素材（５）、防水シート（４）の３層からなる。（ハ）表側面（１）の四方にキャザー（６）を設ける。（ニ）
表側面（１）の上部にあたる前後左右にヘリ（７）を設け、ヘリ（７）の裏に便座への接着テープ（８）をつける。（ホ）表側面（１）の１箇所に廃棄のさいに使う折りたたみ式接着テープを設ける。以上の構成によりなるポータブルトイレ用使い捨て吸収シートが開示されている（当該符号は同公報記載の通り）。
【先行技術文献】
【特許文献】
【０００４】
【特許文献１】特開平１０−２４８７５３公開特許公報
【考案の概要】
【考案が解決しようとする課題】
【０００５】
前記公報に記載のポータブルトイレ用使い捨て吸収シートは、底面にのみ吸収素材シート、尿を凝固させる素材や防水シートが設けられている構成で、排泄物を確実に受容し難い。また、表側面の四方にキャザーを設けて各種大きさの簡易トイレに対応可能としているものの、そのような手間をかけて製作するのでは、コスト高になる。むしろ、排泄物の確実な受容や消臭処理にも適した低価格のものが求められている昨今に対応しない不都合がある。
【０００６】
したがって、本考案が解決しようとする課題は、排泄物を処理する領域が広くて排泄物処理能力がアップされ、消臭効果もあって生産コストの低減化が図られた簡易トイレに使用する使い捨てバッグを提供することにある。
【課題を解決するための手段】
【０００７】
上記課題を解決するための手段として、請求項１記載の考案の簡易トイレ用使い捨てバッグは、簡易トイレＴの開口内部Ｋに嵌合自在な大きさで上部１０が開口された袋体１に形成され、前記簡易トイレＴの上縁部Ｓで折返して係止される折返し部１０にも達する当該袋体１の内面１１ａの全体に亘り、吸水力の高い綿状パルプや高分子吸収体の吸収材２が備え付けられていると共に、当該袋体１の内部１１に消臭材３たる活性炭が備え付けられて成り、外部１２に設置された後処理テープ５により袋体１の開口上部１３が結束されて使い捨て自在に構成されていることを特徴とする。
【０００８】
請求項２記載の考案の簡易トイレ用使い捨てバッグは、前記袋体１の外部１２に設置された後処理テープ５が、剥離紙４付きの吸着体で成ることを特徴とする。
【０００９】
請求項３記載の考案の簡易トイレ用使い捨てバッグは、前記袋体１の外部１２全体は、内部１１が見えない色が付されていることを特徴とする。
【００１０】
請求項４記載の考案の簡易トイレ用使い捨てバッグは、前記の内部１１が見えない色として、青色又は黒色又は濃い色が袋体１の外部１２全体に付されていることを特徴とする。
【００１１】
請求項５記載の考案の簡易トイレ用使い捨てバッグは、前記袋体１の外部１２は防水シート６で形成され、その防水シート６の内部１１に備え付けられた吸水材２の内側に、防音材７たる不織布が設けられていることを特徴とする。
【００１２】
請求項６記載の考案の簡易トイレ用使い捨てバッグは、前記袋体１の開口上部１３の左右両端９、９には、深く切り込まれた大きなスリット８、８が各々形成され、前記左右のスリット８、８の深さ位置で、折返し部１０が折返し自在に構成されていることを特徴とする。
【考案の効果】
【００１３】
本考案は、請求項１のとおり、簡易トイレの開口内部に嵌合自在な大きさで上部が開口された袋体に形成され、簡易トイレの上縁部で折返して係止される折返し部にも達する内面の全体に亘り、吸水力の高い綿状パルプや高分子吸収体の吸収材が備え付けられているので、尿の吸収処理能力が増大され、飛散防止や消音対策にも効果的で、快適かつ衛生的に介護用の簡易トイレに使用することができる。或いは、災害（断水）時やアウトドア等の各種シーンでの簡易トイレでも使用可能である。簡易トイレを直接使用しない態様なので簡易トイレを汚さないで済むのである。
【００１４】
また、本考案の使い捨てバッグは簡便な構造で製作でき、生産コストの低減化が図られるので、今後さらに見込まれる需要の増大にもユーザフレンドリーで対応できる利点もある。
【００１５】
さらに、当該袋体にはその内部に活性炭（消臭材）が備え付けられているので、消臭効果もあって使用者や取扱者に不快感を与えない。
【００１６】
加えて、当該袋体の外部には後処理テープが設置されているので、使用済み後は簡単に結べて処分できる利便性にも優れている。その際、請求項２の考案のように、当該後処理テープを剥離紙付きの吸着体で構成すれば、処分する際に、剥離紙を剥して当該処理テープを巻き付けるだけで吸着体が袋体の開口上部を確実に密封できて使い易い。
【００１７】
請求項３の考案は、袋体の外部全体がその内部が見えない色が付されており、とりわけ請求項４のように、青色や黒色又は濃い色が袋体の外部全体に付されているので、使用後の内容物が外から見えず、使用者に安心感を与える配慮もなされている。
【００１８】
請求項５の考案は、袋体の外部が防水シートで形成され、その防水シートの内部に備え付けられた吸水材の内側に防音材たる不織布が設けられているので、この使い捨てバッグの使用時に音がせず、使用者の満足度をアップでき、取扱い易い。
【００１９】
請求項６の考案は、袋体の開口上部の左右両端に、深く切り込まれた大きなスリットが各々形成され、簡易トイレのバケツ状のトイレポットに本バッグをセッティングする際、前記左右のスリットの深さ位置で折返し部を長く折返せるので、セッティングや処分時にこの大きな折返し部を用いて扱い易い利点も有している。
【図面の簡単な説明】
【００２０】
【図１】本発明の簡易トイレ用使い捨てバッグを正面から示した全体図である。
【００２１】
【図２】使い捨てバッグの開口状態を示した説明図である。
【００２２】
【図３】使い捨てバッグを簡易トイレたるトイレポットへ嵌合する要領を示した説明図である。
【００２３】
【図４】トイレポットに嵌合された使い捨てバッグの簡易トイレへのセッティング要領を示した説明図である。
【００２４】
【図５】使い捨てバッグの簡易トイレへのセッティング完了状態を示した説明図である。
【００２５】
【図６】使用後の使い捨てバッグの処理要領を示した説明図である。
【００２６】
【図７】使用後の使い捨てバッグの結束要領を拡大して示した部分説明図である。
【００２７】
【図８】使用後の使い捨てバッグの結束状態を示した説明図である。
【考案を実施するための最良の形態】
【００２８】
本実施形態の簡易トイレ用使い捨てバッグは、主として簡易トイレたるバケツ状のトイレポットに嵌め込んでセッティングされ、十分かつ衛生的に大便や小便を収納し、使用後に丸ごと処分して廃棄するバッグとして利用される。以下、本発明の好適な実施形態を、図面に基づいて説明する。
【００２９】
図１と図２は当該使い捨てバッグの全体図を示している。
【００３０】
この簡易トイレ用使い捨てバッグは、図４で示したような簡易トイレＴに対して好適に使用される。すなわち、同図４のような全体形状が椅子型の簡易トイレＴにおいて、主要部をなす取り外し自在なバケツ状のトイレポットｔに嵌め込んで使用する。
【００３１】
当該使い捨てバッグは、前記簡易トイレＴのトイレポットｔの開口内部Ｋに嵌合自在な大きさで上部１０が開口された袋体１に形成されている。
【００３２】
袋体１は、その外部１２が、横＝約５０ｃｍ、縦＝約８５ｃｍぐらいの１枚のポリエチレン製の防水シート６が、中央部で上方に折曲され、側面同士は若干折返して溶着され、上部が開口された袋状（縦×横が約４２×４０ｃｍ）に形成されている。排泄物の吸収量は約１．０リットルである。なお、当該防水シート６は、外側から内部１１が見えない色として、例えば、青色や黒色、又は濃い色が付着されている。
【００３３】
この防水シート６の内部１１において、防水シート６の底面を含む形で、後述する折返し部１０にも達する当該袋体１の内面１１ａの全体に亘り、吸水力の高い綿状パルプと高い高分子吸収体とから成る吸収材２とが備え付けられている。
【００３４】
また、図示を簡略した消臭材たる活性炭３が、前記吸収材２に付着するように、袋体１の内部１１に備え付けられている。
【００３５】
そして、前記吸収材２の内側に、防音材７であるポリプロピレン製の不織布が敷設されている。換言すれば、防水シート６と防音材（不織布）７の間に、綿状パルプや高分子吸収体の吸収材２と活性炭（消臭材）３が挟まれるようにして形成されている。
【００３６】
そして、前記袋体１の開口上部１３の左右両端９、９には、深さ（高さ）がそれぞれ約２０ｃｍに切り込まれた大きなスリット８、８が各々形成されている。前述したように吸収材２が、この折返し部１０から約１０ｃｍほど上の位置に達する当該袋体１の内面１１ａの全体に亘り備え付けられている。逆に言うと、袋体１の上縁部１０ａから約１０ｃｍほど下までは吸収材２がない状態となっている。
【００３７】
よって、当該左右のスリット８、８の深さ位置で、袋体１の上部が折返し部１０として折返し自在であり、トイレポットｔの開口内部Ｋへの嵌合時に、折り返された折返し部１０は、吸水力の高い吸収材２をも外側に折り返されることとなる。
【００３８】
また、前記防水シート６の外部１２における前記左右いずれかのスリット８の付近に、後処理テープ５が設置されている。この後処理テープ５は、剥離紙４付きの吸着体である。よって、袋体１の開口上部１３を結束した状態でこの後処理テープ５を巻き付ければ簡単に内容物を閉じ込めて廃棄することができる。
【００３９】
以下に、上述した構成の使い捨てバッグの使用方法について、図３〜図８を参照しつつ説明する。
【００４０】
まず図２のように袋体１を開口させ、図３のように上部の折返し部１０を折返し、その開いた状態のままで、簡易トイレＴをなすトイレポットｔの開口内部Ｋの上端部Ｓに、前記折返された折返し部１０を係止させて袋体１をトイレポットｔの中に収納し嵌合させる（図４）。
【００４１】
その嵌合の際、図４のように、袋体１のスリット８、８が左右方向に位置する配置、すなわち折返された折返し部１０、１０が前後に位置するように、トイレポットｔを簡易トイレＴの所定位置に設置する。しかる後、簡易トイレＴの中空便座ｂを上から下ろしてセットが完了する（図５）。なお、この袋体１の中に水は入れずに使用する。
【００４２】
用が済んだら、排泄物の大便は通常のトイレＷに流して（図６）、図７のように袋体１の上部１３を束ね、後処理テープ５の剥離紙４を剥して巻くようにして結べば内容物や臭いも漏れず、可燃ゴミとして処理することができる（図８）。その際、袋体１が青色等で中が見えないので、快適に廃棄処理できるのである。
【符号の説明】
【００４３】
１      袋体
１０    折返し部
１１    内部
１１ａ  内面
１２    外部
１３    上部
２      吸収体
３      消臭材（活性炭）
４      剥離紙
５      後処理テープ
６      防水シート
７      防音材（不織布）
８      スリット
９      左端
９      右端
Ｔ      簡易トイレ
Ｋ      開口内部
Ｓ      上縁部
【図１】
0003162726.tif 000003
【図２】
0003162726.tif 000004
【図３】
0003162726.tif 000005
【図４】
0003162726.tif 000006
【図５】
0003162726.tif 000007
【図６】
0003162726.tif 000008
【図７】
0003162726.tif 000009
【図８】
0003162726.tif 000010